(57)【要約】【解決手段】第２軸受７３は、出力軸６７に嵌合する出力軸ジャーナル軸受８４と、第２軸受の本体の表裏面８６、８７に貫通させた油送通孔９１とを備え、出力軸６７は、第２軸受７３が位置する上端面９５から第２・第３軸受７３、７４が接触する外周面９６、９７に貫通させた油搬送通路９８を備える。【効果】回転により、グリースの流動性がよくなると、第２軸受の油送通孔を通り抜け、出力軸の端面に達する。グリースは油搬送通路に導かれて、第２・第３軸受が接触する外周面に達する。従って、すべり軸受の潤滑性の向上を図ることができる。【選択図】        図３
2005024009.tif 000002
【特許請求の範囲】
【請求項１】
操作杆の先端に刈刃を設け、操作杆の内部に駆動軸を通し、この駆動軸で前記刈刃を回転させる刈払機において、
駆動源に接続した前記駆動軸によって回転するとともにギヤボックス内に配置した主動ベベルギヤと、この主動ベベルギヤに噛合わせる従動ベベルギヤと、前記主動ベベルギヤを受ける第１軸受と、従動ベベルギヤで回転する出力軸の両端を受ける第２・第３軸受と、を備え、出力軸に前記刈刃を取り付けたものであって、
前記第２軸受は、前記出力軸に嵌合するジャーナル軸受と、第２軸受の本体の表裏面に貫通させた油送通孔とを備え、  前記出力軸は、第２軸受が位置する端面から前記第２・第３軸受が接触する外周面に貫通させた油搬送通路を備えたことを特徴とする刈払機の軸受構造。
【発明の詳細な説明】
【０００１】
【発明の属する技術分野】
本発明は刈払機の刈払機の軸受構造に関する。
【０００２】
【従来の技術】
従来の刈払機の軸受構造は、刈刃を回転させる軸に対して、交差するように駆動源からの軸を配置し、この軸に嵌合したベベルギヤをすべり軸受で支持した（例えば、特許文献１参照。）。
【０００３】
【特許文献１】
実開昭５９−１５７１１６号公報  （第３頁、第２図）
【０００４】
特許文献１を、図面を参照の上、詳しく説明する。
図９は従来の芝刈機等の軸受装置の説明図であり、特許文献１の第２図である。
従来の軸受装置８は、パイプ製操作杆１内にベベルギヤ４を取り付けるもので、焼結含有軸受８１にニードルベアリング８３を嵌め、また、焼結含有軸受８１に軸受孔８２を形成することで、ニードルベアリング８３でラジアル荷重を受け、軸受孔８２側の端部でスラスト荷重を受けることができるというものである。
【０００５】
【発明が解決しようとする課題】
しかし、上記図９に示す特許文献１の軸受装置８では、軸受装置８に対する潤滑油の不足が起きやすい。特に、焼結含有軸受８１の軸受孔８２やスラスト荷重を受ける端部では、下方に較べ上方は油膜が無くなりやすい。
【０００６】
そこで、本発明の目的は、すべり軸受の潤滑性の向上を図れる刈払機の軸受構造を提供することにある。
【０００７】
【課題を解決するための手段】
上記目的を達成するために請求項１は、操作杆の先端に刈刃を設け、操作杆の内部に駆動軸を通し、この駆動軸で刈刃を回転させる刈払機において、駆動源に接続した駆動軸によって回転するとともにギヤボックス内に配置した主動ベベルギヤと、この主動ベベルギヤに噛合わせる従動ベベルギヤと、主動ベベルギヤを受ける第１軸受と、従動ベベルギヤで回転する出力軸の両端を受ける第２・第３軸受と、を備え、出力軸に刈刃を取り付けたものであって、第２軸受は、出力軸に嵌合するジャーナル軸受と、第２軸受の本体の表裏面に貫通させた油送通孔とを備え、出力軸は、第２軸受が位置する端面から第２・第３軸受が接触する外周面に貫通させた油搬送通路を備えたことを特徴とする。
【０００８】
ギヤボックス内の主動ベベルギヤ、従動ベベルギヤや出力軸の回転により、グリースの流動性がよくなると、流動性がよくなったグリースは第２軸受の本体の表裏面に貫通させた油送通孔を通り抜け、出力軸の端面に達する。端面に達したグリースは油搬送通路に導かれて、第２・第３軸受が接触する外周面に達する。上方ではジャーナル軸受に開けた孔によってジャーナル軸受の外周面に供給することができる。
【０００９】
【発明の実施の形態】
本発明の実施の形態を添付図に基づいて以下に説明する。なお、図面は符号の向きに見るものとする。
図１は本発明に係る刈払機の側面図であり、刈払機１０は、パイプ状の操作杆１１の内部１２に駆動軸１３を通し、この駆動軸１３を操作杆１１の端１４に設けた駆動源１５で回転させることで、操作杆１１の先端１６に設けた刈刃１７を回転させる形式のもので、操作杆１１の長手（矢印ａの方向）の中央部２１にハンドル２２を十文字を呈するようにハンドルホルダー２３で固定したものである。２４はギヤボックスを示す。
駆動源１５はエンジン又は電動モータである。
【００１０】
図２は図１の２矢視図であり、ギヤボックス２４を示すとともに、ギヤボックス２４内に駆動軸１３で回転を伝え、刈刃１７を回転させることを示す。ギヤボックス２４には、グリース注入口２６を形成し、グリース注入口２６にグリースポンプを接続してギヤボックス２４内にグリースを圧入することで、軸受に供給する。
【００１１】
図３は図２の３−３線断面図である。
刈払機１０は、主動機構２８と、従動機構２９を備える。主動機構２８は第１軸受としての軸受手段３１を備え、軸受手段３１は、ジャーナル軸受３４と、ねじ込式支持部材３５とからなる。すなわち、刈払機１０は、駆動軸１３と刈刃１７とを主動ベベルギヤ３２を内蔵したギヤボックス２４で連結し、主動ベベルギヤ３２のボス３３はジャーナル軸受３４で支持させ、ギヤボックス２４内部にねじ嵌合し回転（ｂ軸方向）させることで軸方向（矢印ｄの方向）の位置を調整することができるねじ込式支持部材３５を取り付け、この支持部材３５にジャーナル軸受３４を支持させたものである。
【００１２】
ギヤボックス２４は、操作杆１１に嵌合する第１ボックス部３６に第２ボックス部３７を一体に成形したもので、第１ボックス部３６に嵌合穴３８及び第１めねじ３９を形成し、第２ボックス部３７に第２めねじ４１、上述したグリース注入口２６を形成した。
【００１３】
主動ベベルギヤ３２は、中央にボス３３を形成し、ボス３３にスプライン４３を形成した。
図中、４４，４５は第１・第２リング部材、４７，４８は第３・第４リング部材、５１は止め輪を示す。
【００１４】
ジャーナル軸受３４は、油孔５２と内周面５６を有する。
ねじ込式支持部材３５は、ギヤボックス２４に嵌合する嵌合部５３と、おねじ５４と、主動ベベルギヤ３２が位置する端面５５から内周面５６、詳しくはジャーナル軸受３４の内周面５６へ貫通する第１流路５７と、操作杆１１が位置する側の周端部５８に形成した掛合部５９とを備える。６１はゆるみ止め部材を示す。
第１流路５７は、環状に形成した流路部６２と、流路部６２に連通させた孔部６３と、油孔５２とからなる。
【００１５】
従動機構２９は、主動ベベルギヤ３２に噛合わせる従動ベベルギヤ６６と、従動ベベルギヤ６６を支持するとともに従動ベベルギヤ６６で回転する出力軸６７と、出力軸６７の両端７１、７２を受ける第２・第３軸受７３、７４と、を備えた。
【００１６】
第２軸受７３は、出力軸６７に嵌合する出力軸ジャーナル軸受８４と、第２軸受７３の本体８５の表裏面８６、８７に貫通させた油送通孔９１とを備える。
第３軸受７４は、ジャーナル軸受９２を備える。
【００１７】
出力軸６７は、第２軸受７３が位置する上端面９５から第２・第３軸受７３、７４が接触する外周面９６、９７に貫通させた油搬送通路９８を備える。
【００１８】
図４は図３の４−４線断面図であり、ねじ込式支持部材３５の周端部５８に形成した掛合部５９と、ゆるみ止め部材６１に形成した工具を掛合するための凹部１０１を示す。
掛合部５９は、ねじ込式支持部材３５を取り付ける際にねじ込み工具を掛合する部位である。
【００１９】
図５は図３の５−５線断面図であり、ねじ込式支持部材３５に形成した第１流路５７の流路部６２並びに４個の孔部６３・・・（・・・は複数を示す。以下同様。）と、ジャーナル軸受３４に形成した４個の油孔５２・・・と、を示す。
【００２０】
図６は本発明に係る第１軸受のねじ込式支持部材及びジャーナル軸受の斜視図である。
ねじ込式支持部材３５は、既に説明したように、ギヤボックスに嵌合する嵌合部５３と、おねじ５４と、端面５５から内周面５６へ貫通する第１流路５７の流路部６２と、孔部６３・・・と、油孔５２と、周端部５８に形成した掛合部５９とを備える。
端面５５には、孔部６３に連通する溝１０２・・・及び位置決め凸部１０３，１０３を形成した。
溝１０２は、油を導く溝で、外周側に位置し、第２リング部材４５に干渉しない開口１０４から油が流入する。
【００２１】
第２リング部材４５は、位置決め凸部１０３，１０３に嵌合する位置決め孔１０５，１０５を有する。
なお、第１・第２リング部材４４，４５の２枚を用いたが、リング部材の枚数や厚さは任意である。
【００２２】
図７は本発明に係る第２軸受の取り付け要領説明図であり、要領を簡単に説明する。
まず、ギヤボックス２４に従動機構２９をセットする。すなわち、従動ベベルギヤ６６、出力軸６７及びその他を一体にして嵌め込んだ後、第２軸受７３をねじ込むことで、固定する。なお、出力軸６７に形成した油搬送通路９８で第２軸受７３に潤滑油を導く。
【００２３】
以上に述べた刈払機の軸受構造の作用を次に説明する。
図８は本発明に係る刈払機の軸受構造の作用図である。
ギヤボックス２４内にグリース注入口２６からグリースＧ（点で示す。）を規定量入れる。そして、刈払機１０で雑草を刈ると、主動ベベルギヤ３２、従動ベベルギヤ６６や出力軸６７の回転により、ギヤボックス２４内の温度が上昇し、ギヤボックス２４内のグリースＧは流動性がよくなる。流動性がよくなったグリースＧは、主動・従動ベベルギヤ３２，６６や出力軸６７の遠心力によって、第２ボックス部３７では、第２軸受７３の表裏面８６、８７に貫通させた油送通孔９１を伝って矢印▲１▼の如く通り抜け、出力軸６７の上端面９５に矢印▲２▼のように達する。上端面９５に達したグリースＧは油搬送通路９８に導かれて、第２・第３軸受７３、７４が接触する外周面９６、９７に矢印▲３▼，▲４▼のように達する。
【００２４】
一方、第１ボックス部３６では、流動性がよくなったグリースＧは、主動・従動ベベルギヤ３２，６６や出力軸６７の遠心力によって、溝１０２・・・の開口１０４・・・を矢印▲５▼，▲５▼の如く通り抜け、さらに、第１流路５７によって導かれ、ジャーナル軸受３４の内周面５６にグリースＧを矢印▲６▼，▲６▼のように供給することができる。
【００２５】
尚、本発明の実施の形態に示した構成部品の材質は任意である。
流路や孔や溝の数量や寸法は任意であり、所望の量の油（グリース）を導く形態であればよい。
本発明の実施の形態を刈払機以外の機械に用いることも可能である。
【００２６】
【発明の効果】
本発明は上記構成により次の効果を発揮する。
請求項１では、第２軸受は、出力軸に嵌合するジャーナル軸受と、第２軸受の本体の表裏面に貫通させた油送通孔とを備え、出力軸は、第２軸受が位置する端面から第２・第３軸受が接触する外周面に貫通させた油搬送通路を備えたので、主動ベベルギヤ、従動ベベルギヤや出力軸の回転により、グリースの流動性がよくなると、第２軸受の本体の表裏面に貫通させた油送通孔を通り抜け、出力軸の端面に達する。端面に達したグリースは油搬送通路に導かれて、第２・第３軸受が接触する外周面に達する。従って、すべり軸受の潤滑性の向上を図ることができる。
【図面の簡単な説明】
【図１】本発明に係る刈払機の側面図
【図２】図１の２矢視図
【図３】図２の３−３線断面図
【図４】図３の４−４線断面図
【図５】図３の５−５線断面図
【図６】本発明に係る第１軸受のねじ込式支持部材及びジャーナル軸受の斜視図
【図７】本発明に係る第２軸受の取り付け要領説明図
【図８】本発明に係る刈払機の軸受構造の作用図
【図９】従来の芝刈機等の軸受装置の説明図
【符号の説明】
１０…刈払機、１１…操作杆、１３…駆動軸、１５…駆動源、１６…先端、１７…刈刃、２４…ギヤボックス、６５…従動ベベルギヤ、６７…出力軸、７３…第２軸受、７４…第３軸受、８１…第２軸受のジャーナル軸受の内周面、８２…第２軸受のジャーナル軸受の外周面、８４…第２軸受のジャーナル軸受（出力軸ジャーナル軸受）、８５…本体、８６…本体の表面、８７…本体の裏面、９１…油送通孔、９５…出力軸の上端面、９６…第２軸受が接触する外周面、９７…第３軸受が接触する外周面、９８…油搬送通路。
【図１】
2005024009.tif 000003
【図２】
2005024009.tif 000004
【図３】
2005024009.tif 000005
【図４】
2005024009.tif 000006
【図５】
2005024009.tif 000007
【図６】
2005024009.tif 000008
【図７】
2005024009.tif 000009
【図８】
2005024009.tif 000010
【図９】
2005024009.tif 000011